(57)【要約】【課題】メールを受信した際に、その受信メールを受信者の意向に沿った形で分類して自動的に貼り付ける。【解決手段】受信メールから該当するメールを選択する選択条件と、その条件で選択したメールを貼り付ける箇所とを、貼り付け対応リストにあらかじめ登録しておき、メールを受信した際に、対応リストに登録された選択条件を読み出し、受信メールがその読み出した選択条件を満足しているか否かを判定し、受信メールが選択条件を満足している場合に、そのメールを対応リストに登録されている貼り付け箇所に自動的に貼り付けることで、煩わしいメール管理（メールの分類・貼り付け等）をなくす。【選択図】図７
2004062640.tif 000002
【特許請求の範囲】
【請求項１】
メールを送受信することが可能な通信機能を備えた情報携帯端末において、
メールを受信する受信手段と、その受信したメールを一時記憶する記憶手段と、受信したメールから該当するメールを選択する選択条件及びその条件で選択したメールを貼り付ける箇所を対応リストに登録するための登録手段と、受信したメールが、前記対応リストに登録された選択条件を満足しているか否かを判定する判定手段と、受信メールが選択条件を満足している場合に、そのメールを前記対応リストに登録されている貼り付け箇所に貼り付ける貼り付け手段を備えていることを特徴とする情報携帯端末。
【請求項２】
前記対応リストに登録する選択条件として、メールアドレスが指定されている場合、受信したメールの送信者のメールアドレスが、指定されたメールアドレスに一致しているか否かを判定し、メールアドレスが一致している場合に、メールを前記対応リストに登録されている貼り付け箇所に貼り付けるように構成されていることを特徴とする請求項１記載の情報携帯端末。
【請求項３】
前記対応リストに登録するメールの選択条件として、送信日時の期間が指定されている場合、受信したメールの送信日時が、指定された送信日時の期間内に入っているか否かを判定し、受信メールの送信日時が指定された期間内に入っている場合に、メールを前記対応リストに登録されている貼り付け箇所に貼り付けるように構成されていることを特徴とする請求項１記載の情報携帯端末。
【請求項４】
前記対応リストに登録するメールの選択条件として、メールのサブジェクトが指定されている場合、受信したメールのサブジェクトが、指定されたサブジェクトに一致しているか否かを判定し、サブジェクトが一致している場合に、メールを前記対応リストに登録されている貼り付け箇所に貼り付けるように構成されていることを特徴とする請求項１記載の情報携帯端末。
【請求項５】
前記対応リストに登録するメールの選択条件として、当該情報携帯端末から送信したメールの種類が指定されている場合、受信したメールが、指定されたメール種類であるか否かを判定し、受信メールが指定されたメール種類である場合に、メールを前記対応リストに登録されている貼り付け箇所に貼り付けるように構成されていることを特徴とする請求項１記載の情報携帯端末。
【請求項６】
前記対応リストに登録するメールの選択条件として、特定の文字列が指定されている場合、受信したメールの本文内に、指定された特定の文字列が含まれているか否かを判定し、受信メールに指定された特定の文字列が含まれている場合に、メールを前記対応リストに登録されている貼り付け箇所に貼り付けるように構成されていることを特徴とする請求項１記載の情報携帯端末。
【請求項７】
前記受信手段で受信したメールに特定の添付ファイルが添付されているか否かを判定し、特定の添付ファイルが添付されている場合、その添付ファイルから該当するメールを選択し、そのメールの添付ファイルのみを、前記対応リストに登録されている貼り付け箇所に貼り付けるように構成されていることを特徴とする請求項１記載の情報携帯端末。
【請求項８】
メールを送受信することが可能な通信機能を備えた情報携帯端末において受信メールを処理する方法であって、
受信メールから該当するメールを選択するための選択条件及びその条件で選択したメールを貼り付ける箇所を対応リストに登録する登録工程と、メールを受信する受信工程と、その受信したメールを一時記憶する記憶工程と、受信したメールが、前記対応リストに登録された選択条件を満足しているか否かを判定する判定工程と、受信メールが選択条件を満足している場合に、そのメールを前記対応リストに登録されている貼り付け箇所に貼り付ける貼り付け工程を有し、あらかじめ、受信者が選択条件とメールの貼り付け箇所を指定しておき、メールを受信した際に、受信者が指定した選択条件を満足しているか否かを判定し、条件を満足している場合に、受信者が指定した貼り付け箇所にメールを貼り付けることを特徴とする受信メールの処理方法。
【請求項９】
メールを送受信することが可能な通信機能を備えた情報携帯端末を制御する制御プログラムであって、
受信メールから該当するメールを選択するための選択条件及びその条件で選択したメールを貼り付ける箇所を対応リストに登録する登録ステップと、メールを受信する受信ステップと、その受信したメールを一時記憶する記憶ステップと、受信したメールが、前記対応リストに登録された選択条件を満足しているか否かを判定する判定ステップと、受信メールが選択条件を満足している場合に、そのメールを前記対応リストに登録されている貼り付け箇所に貼り付ける貼り付けステップを有することを特徴とする制御プログラム。
【請求項１０】
請求項９記載の制御プログラムを記録したコンピュータ読み取り可能な記録媒体。
【発明の詳細な説明】
【０００１】
【発明の属する技術分野】
本発明は、パーソナルコンピュータ（以下、ＰＣと略記する）やメールサーバから自分宛ての電子メールを取り込んで、電子メールを閲覧することが可能な情報携帯端末と、受信メールの処理方法及び情報携帯端末の制御プログラム並びに制御プログラムを記録した記録媒体に関し、特に、電子メールをＰＩＭ（Ｐｅｒｓｏｎａｌ　Ｉｎｆｏｒｍａｔｉｏｎ　Ｍａｎａｇｅｒ）、情報データベース等に関連付けて貼り付けるメール管理技術に関する。
【０００２】
【従来の技術】
近年、携帯電話、ＰＤＡ等のメールの通信機能を備えた情報携帯端末において、膨大なメールリストを、受信日時・メールアドレス・サブジェクトなどでソーティングし、必要なメールを選択し、さらに個人の目的・用途に合わせてフォルダ等に分類、あるいはＰＩＭデータ等に登録・管理するといったメール管理機能が充実している。特に、ビジネスやプライベートシーンにおいて、重要なメールから単なるお知らせメールまで、さまざまな用途・目的のメールを送受信する機会が増えてきている。
【０００３】
携帯電話、ＰＤＡ等のメールの通信機能を備えた情報携帯端末において、電子メールを管理する技術として各種の提案がなされている。
【０００４】
例えば、特開２０００−２２２３００号公報には、入力されたメールアドレスから、ＰＩＭ−ＤＢを検索し、この検索した個人情報を、雛型となる送信メールに埋め込むことで、メールを自動的に作成する文書作成装置が開示されている。この公報に記載の方法によれば、ＰＩＭ−ＤＢ、雛型メールから、ほとんど手を加えずにあて先を入力するだけでメールの作成を行うことができる。
【０００５】
また、特開２００１−１４３０３号公報には、付箋紙に必要事項を記入し、その付箋を該当する電子文書が表示されている画面上に添付し、その画面をカメラで撮像する操作を行い、付箋情報と電子文書を関連付けて管理することが可能な文書管理装置が開示されている。この公報に記載の装置では、電子文書へのアノテーション追加を容易に実現できる。
【０００６】
【発明が解決しようとする課題】
しかしながら、前記したメール管理技術のうち、特開２０００−２２２３００号公報に記載の方法は、入力されたメールアドレスからＰＩＭ−ＤＢを検索し、この検索した個人情報を、雛型となる送信メールに埋め込むことで、メールを自動的に作成する方法であり、メールを受信した際に、用途・目的に応じてあらかじめ設定した分類方法に基づいてスケジュール、メモ、ＴｏＤｏ等のＰＩＭ、情報データベースに分類して自動的に貼り付けるといったメール管理に関する技術ではない。
【０００７】
また、特開２００１−１４３０３号公報に記載の装置は、付箋紙に必要事項を記入し、その付箋を該当する電子文書が表示されている画面上に添付し、その画面をカメラで撮像する操作を行い、付箋情報と電子文書を関連付けて管理する装置であり、メールを受信した際に、用途・目的に応じてあらかじめ設定した分類方法に基づいてスケジュール、メモ、ＴｏＤｏ等のＰＩＭ、情報データベースに分類して自動で貼り付けるといったメール管理に関する技術ではない。
【０００８】
ところで、メールの送受信が可能な情報携帯端末において、膨大な受信メールリストの中から、メールを受信するごとに、利用者自身が１つ１つのメールを各用途・目的に応じたＰＩＭ、情報データベース等に振り分け、貼り付けて分類管理するといったことは、利用者にとって手間もかかり煩わしいといった問題がある。また、利用者自身がメールの内容を確認し、目的・用途に応じたＰＩＭ、情報データベース等に関連して振り分けることは、きめ細かな対応ができる反面、貼り付け忘れ、誤った箇所への貼り付け等を起こす可能性がある。
【０００９】
例えば、プロジェクトのメンバーからのメールを、プロジェクト関連の資料として、ＴｏＤｏリストに貼り付ける場合、受信メールボックスからメンバー全員のメールを検索し、１つ１つをＴｏＤｏリストに貼り付ける必要がある。
【００１０】
また、メールを受け取ってからの期限を重要とするメール（例えば受け取って１週間以内に発送しなければならないメールなど）については、受け取ったメールをスケジュールに貼り付けて管理したい場合がある。この場合でも、受信メールボックスから送信日時によってメールを検索し、１つ１つをスケジュール等に貼り付ける必要がある。
【００１１】
また、ゴルフコンペの参加・不参加のメールなど、関連する共通のタイトルのメールについては、受け取ったメールをメモ等に貼り付けて管理したい場合がある。この場合でも、受信メールボックスからタイトルによってメールを検索し、１つ１つをメモ等に貼り付ける必要がある。
【００１２】
また、アンケートをメールで送信し、アンケート結果を返信メールとして回収するに際して、受け取ったメールをメモ等に貼り付けて管理したい場合がある。この場合でも、返信メールかどうかによって、受信メールボックスからメールを検索し、１つ１つをメモ等に貼り付ける必要がある。
【００１３】
また、ある特定の商品に関する要望・苦情などのメールをメモ等に貼り付けて管理したい場合がある。この場合でも、返信メールであるかどうかによって、受信メールボックスからメールを検索し、１つ１つをメモ等に貼り付ける必要がある。
【００１４】
また、各メールに添付された店舗ごとの販売実績のＥＸＣＥＬファイルをメモ等に貼り付けて管理したい場合がある。この場合でも、特定の添付ファイルがあるかどうかによって、受信メールボックスのメールからメールを検索し、１つ１つの添付ファイルをメモ等に貼り付ける必要がある。
【００１５】
本発明はそのような問題点を解決すべく創案されたもので、メールを受信した際に、その受信メールを受信者の意向に沿った形で分類し、自動的に貼り付ける機能を備えた情報携帯端末と、そのようなメール管理機能を実現する受信メールの処理方法及び制御プログラム並びに制御プログラムを記録した記録媒体を提供することを目的とする。
【００１６】
【課題を解決するための手段】
本発明の情報携帯端末は、メールを送受信することが可能な通信機能を備えた情報携帯端末において、メールを受信する受信手段と、その受信したメールを一時記憶する記憶手段と、受信したメールから該当するメールを選択する選択条件及びその条件で選択したメールを貼り付ける箇所を対応リストに登録するための登録手段と、受信手段で受信したメールが、対応リストに登録された選択条件を満足しているか否かを判定する判定手段と、受信メールが選択条件を満足している場合に、そのメールを対応リストに登録されている貼り付け箇所に貼り付ける貼り付け手段を備えていることことによって特徴づけられる。
【００１７】
本発明の情報携帯端末によれば、受信メールをＰＩＭデータ等に貼り付けるための条件とメールを貼り付ける先を、貼り付け対応リストとして登録しておくことで、メールを受信した際に、手間や時間をかけることなく、受信メールを受信者の意向に沿った形でを確実に分類し、ＰＩＭ等に自動的に貼り付けることができる。
【００１８】
本発明の情報携帯端末において、対応リストに登録するメールの選択条件として、メールアドレスが指定されている場合、受信メールの送信者のメールアドレスが、指定されたメールアドレスに一致しているか否かを判定し、メールアドレスが一致している場合に、メールを対応リストに登録されている貼り付け箇所に貼り付けるようにしてもよい。
【００１９】
このような構成を採用すれば、メールを受信した際に、ＰＩＭデータからメールアドレスによってメールを確実に分類することができ、その分類されたメールを受信者が簡単に見ることができる。
【００２０】
本発明の情報携帯端末において、対応リストに登録するメールの選択条件として、送信日時の期間が指定されている場合、受信したメールの送信日時が、指定された送信日時の期間内に入っているか否かを判定し、受信メールの送信日時が指定された期間内に入っている場合に、メールを対応リストに登録されている貼り付け箇所に貼り付けるようにしてもよい。
【００２１】
このような構成を採用すれば、メールを受信した際に、指定された期間によってメールを確実に分類することができ、その分類されたメールをＰＩＭデータに自動的に貼り付けることができる
本発明の情報携帯端末において、対応リストに登録するメールの選択条件として、メールのサブジェクトが指定されている場合、受信メールのサブジェクトが、指定されたサブジェクトに一致しているか否かを判定し、サブジェクトが一致している場合に、メールを対応リストに登録されている貼り付け箇所に貼り付けるようにしてもよい。
【００２２】
このような構成を採用すれば、メールを受信した際に、メールのサブジェクトによってメールを確実に分類することができ、その分類されたメールをＰＩＭデータに自動的に貼り付けることができる。
【００２３】
本発明の情報携帯端末において、対応リストに登録するメールの選択条件として、当該情報携帯端末から送信したメールの種類（例えば返信メール）が指定されている場合、受信したメールが、指定されたメール種類であるか否かを判定し、受信メールが指定されたメール種類である場合に、メールを対応リストに登録されている貼り付け箇所に貼り付けるようにしてもよい。
【００２４】
このような構成を採用すれば、メールを受信した際に、返信メール等のメール種類によってメールを確実に分類することができ、その分類されたメールをＰＩＭデータに自動的に貼り付けることができる。
【００２５】
本発明の情報携帯端末において、対応リストに登録するメールの選択条件として、特定の文字列（例えばキーワード）が指定されている場合、受信したメールの本文内に、指定された特定の文字列が含まれているか否かを判定し、受信したメールに指定された特定の文字列が含まれている場合に、メールを対応リストに登録されている貼り付け箇所に貼り付けるようにしてもよい。
【００２６】
このような構成を採用すれば、メールを受信した際に、キーワード等の特定の文字列によってメールを確実に分類することができ、その分類されたメールをＰＩＭデータに自動的に貼り付けることができる。
【００２７】
本発明の情報携帯端末において、受信したメールに特定の添付ファイルが添付されているか否かを判定し、特定の添付ファイルが添付されている場合、その添付ファイルから該当するメールを選択し、そのメールの添付ファイルのみを、対応リストに登録されている貼り付け箇所に貼り付けるようにしてもよい。
【００２８】
このような構成を採用すれば、メールを受信した際に、特定の添付ファイルによってメールを確実に分類することができ、その分類されたメールの添付ファイルをＰＩＭデータに自動的に貼り付けることができる。
【００２９】
本発明の受信メールの処理方法は、メールを送受信することが可能な通信機能を備えた情報携帯端末において受信メールを処理する方法であって、受信メールから該当するメールを選択するための選択条件及びその条件で選択したメールを貼り付ける箇所を対応リストに登録する登録工程と、メールを受信する受信工程と、その受信したメールを一時記憶する記憶工程と、受信したメールが、対応リストに登録された選択条件を満足しているか否かを判定する判定工程と、受信メールが選択条件を満足している場合に、そのメールを対応リストに登録されている貼り付け箇所に貼り付ける貼り付け工程を有し、あらかじめ、受信者が選択条件とメールの貼り付け箇所を指定し、メールを受信した際に、受信者が指定した選択条件を満足しているか否かを判定し、満足している場合に、受信者が指定した貼り付け箇所にメールを貼り付けることによって特徴づけられる。
【００３０】
本発明の受信メールの処理方法によれば、受信メールをＰＩＭデータ等に貼り付けるための条件と貼り付ける先を、貼り付け対応リストとして登録しておくことで、メールを受信した際に、手間や時間をかけることなく、受信メールを受信者の意向に沿った形で確実に分類し、ＰＩＭ等に貼り付けることができる。
【００３１】
本発明の制御プログラムは、メールを送受信することが可能な通信機能を備えた情報携帯端末を制御する制御プログラムであって、受信メールから該当するメールを選択するための選択条件及びその条件で選択したメールを貼り付ける箇所を対応リストに登録する登録ステップと、メールを受信する受信ステップと、その受信したメールを一時記憶する記憶ステップと、受信したメールが、対応リストに登録された選択条件を満足しているか否かを判定する判定ステップと、受信メールが選択条件を満足している場合に、そのメールを対応リストに登録されている貼り付け箇所に貼り付ける貼り付けステップを有することによって特徴づけられる。
【００３２】
本発明の制御プログラムによれば、メールを受信した際に、その受信メールを受信者が登録した意向に沿った形で確実に分類し、ＰＩＭ等に自動的に貼り付けるという処理を情報携帯端末に実行させることができる。
【００３３】
本発明の記録媒体は、コンピュータ（情報携帯端末も含む）読み取り可能な記録媒体であって、前記した特徴をもつ制御プログラムを記録していることを特徴としている。
【００３４】
本発明の記録媒体によれば、メールを受信した際に、その受信メールを受信者が登録した意向に沿った形で確実に分類し、ＰＩＭ等に自動的に貼り付けることが可能な受信メールの処理方法の汎用性を高めることができる。
【００３５】
【発明の実施の形態】
以下、本発明の実施の形態を図面に基づいて説明する。
【００３６】
図１は、一般的な情報携帯端末のハードウェア構成を示すブロック図である。
【００３７】
図１の情報携帯端末は、メールサーバ／ＰＣ１と接続してメールを送受信する通信部２と、情報通信端末の全体を制御するＣＰＵ３とを備えている。
【００３８】
また、情報通信端末は、記録媒体としてＲＡＭ６、ＲＯＭ７、及びＨＤ（ハードディスク）８を備えている。ＲＯＭ７には、ＣＰＵ３を動作させるためのプログラムが格納されている。ＲＡＭ６は、送受信したメールを一時記憶したり、ＣＰＵ３のワークメモリとして使用される。ＨＤ８は、メール及びメールの添付ファイルを保存したり、各種設定項目を保存したりする。
【００３９】
ＣＰＵ３には、メールの作成及び各種設定値等を入力する入力部５、メールやメールの添付ファイル、各種設定値等を画面表示する表示部４、メールの送受信日時、メールの添付ファイルの表示日時を管理するため時計９、プログラムやデータを記録する外部記憶媒体としてのＣＤ−ＲＯＭ１１からプログラムやデータを読み取る読取装置１０が接続されている。
【００４０】
図２は、情報携帯端末の内部構成を示すブロック図であり、後述する［実施形態１］〜［実施形態６］に共通に適用される。
【００４１】
この例の情報携帯端末は、メールサーバ／ＰＣ１からメールを受信するメール受信部２１と、受信したメールの受信データをテキスト形式に変換するメール変換部２２と、受信したメールを記憶するメール記憶部（受信メールボックス）２３と、受信したメールを表示するメール本文表示部２４と、貼り付け条件及び貼り付け箇所を設定するための貼り付け対応リスト設定部２６と、受信したメールと貼り付け条件を比較・判定する貼り付け条件判定部２５と、貼り付け箇所を選択する貼り付け箇所選択部２７と、ＰＩＭ等にメールの貼り付けを行うメールデータ貼り付け部２８と、メールの貼り付いたＰＩＭ等のデータを表示するメール付きＰＩＭデータ等表示部２９を備えている。
【００４２】
次に、以上の構成の情報携帯端末による受信メールの処理について、以下に示す各実施形態に従って説明する。
【００４３】
［実施形態１］
この実施形態では、ユーザ（受信者）が登録するメール選択条件がメールアドレスである場合の処理例を示す。その具体的な処理を各項目ごとに説明する。
【００４４】
＜登録処理＞
まず、情報形態端末に対して、メール選択条件（メールアドレス）と、ＰＩＭ等へのメールの貼り付け箇所・方法を登録する際の処理について、図３に示すフローチャート及び図４〜図６を参照しながら説明する。
【００４５】
図４は情報携帯端末のメインメニュー画面の表示例であり、図５は、メール選択条件とメールの貼り付け箇所を入力する際の入力画面の表示例である。図６は、貼り付け条件と貼り付け箇所が登録された貼り付け対応リストの例を示す図である。
【００４６】
メールを貼り付けるためのメール選択条件（メールアドレス）と、貼り付け箇所とを入力設定する場合は、まず、図４に示すメインメニュー画面において「４．貼り付け対応リスト登録」を選択する。
【００４７】
この操作により、図５に示す貼り付け対応リスト登録画面が表示され、ユーザがメール選択条件を入力する（ステップＳ００１）。
【００４８】
次に、貼り付け箇所・方法を入力する（ステップＳ００２）。この例の場合、貼り付け条件（メール選択条件）としてのメールアドレスは「Ｔａ＠ｓｈａｒｐ．ｃｏ．ｊｐ，Ｈａ＠ｓｈａｒｐ．ｃｏ．ｊｐ」であり、メールの貼り付け箇所は「ＴｏＤｏ：Ａ商品開発プロジェクト」である。
【００４９】
そして、図５に示す画面上の「登録」キーを押すことで、図６に示す貼り付け対応リストのＮｏ．３の項目に、貼り付け条件「Ａｄｄｒｅｓｓ：Ｔａ＠ｓｈａｒｐ．ｃｏ．ｊｐ，Ａｄｄｒｅｓｓ：Ｈａ＠ｓｈａｒｐ．ｃｏ．ｊｐ」と、メールの貼り付け箇所「ＴｏＤｏ：Ａ商品開発プロジェクト」が登録される（ステップＳ００３）。
【００５０】
＜受信メールの選択・貼り付け処理＞
メールを受信した際にＰＩＭ等にメールを貼り付ける処理について、図７のフローチャート及び図８〜図１０を参照しながら説明する。
【００５１】
図８は情報携帯端末のメインメニュー画面の表示例である。図９はＴｏＤｏリストの選択画面の表示例である。図１０は、メールが貼り付いた「ＴｏＤｏ：Ａ商品開発プロジェクト」の表示画面例である。
【００５２】
図７の処理において、ＰＣ／メールサーバ１からのメールを受信すると（ステップＳ１０１）、図６に示す貼り付け対応リストを読み出し（ステップＳ１０２）、このリストの位置を示すカウンタ（図示せず）をクリア（Ｎ＝０）する（ステップＳ１０３）。
【００５３】
次に、受信したメールから送信者のメールアドレスを読み取り（ステップＳ１０４）、カウント値Ｎをインクリメント（Ｎ＝Ｎ＋１）する（Ｓ１０５）。さらに、カウント値Ｎと貼り付け対応リストに登録された項目数とを比較する（ステップＳ１０６）。その比較結果において、カウント値Ｎが項目数未満であれば、Ｎ番目のメールを貼り付けるためのメール選択条件（メールアドレス）を、図６の貼り付け対応リストから取り出す（ステップＳ１０７）。
【００５４】
次に、受信したメールのメールアドレスとメール選択条件として取り出したメールアドレスとを比較し（ステップＳ１０８）、その両者のアドレスが一致している場合、対応する貼り付け箇所（ＴｏＤｏ：Ａ商品開発プロジェクト）にメールを貼り付ける（ステップＳ１０９）。この後、再びカウントアップを行う（ステップＳ１０５）。
【００５５】
そして、ユーザが、図８に示す情報携帯端末のメインメニュー画面においてＮｏ．２の項目「ＴｏＤｏリスト」を選択し、図９に示すＴｏＤｏリストの選択画面において「２．Ａ商品開発プロジェクト」を選択することで、図１０に示すＴｏＤｏリストの内容が表示される。この例の場合、図６の貼り付け対応リストのＮｏ．３によって、「Ｔａ＠ｓｈａｒｐ．ｃｏ．ｊｐ　明日、○○会議の資料を事前に見せてください。」と「Ｈａ＠ｓｈａｒｐ．ｃｏ．ｊｐ　○○部品について、注文書を受け取っておりません。確認ください。」のメールが選択され、そのメールが表示される。
【００５６】
なお、ステップＳ１０８での判定において、受信メールのメールアドレスと、貼り付け対応リストのメール選択条件であるメールアドレスとが一致しない場合は、再びカウンタのカウントアップを行う（ステップＳ１０５）。また、貼り付け対応リストの項目数よりも、カウント値Ｎが大きくなった時点で処理を終了する（ステップＳ１０６）。
【００５７】
［実施形態２］
この実施形態では、ユーザ（受信者）が登録するメール選択条件が送信日時の期間である場合の処理例を示す。その具体的な処理を各項目ごとに説明する。
【００５８】
＜入力・登録処理＞
図３に示したフローチャートと同様な処理を行って、貼り付け対応リストのＮｏ．１の項目に、貼り付け条件「Ｄａｔｅ：２００２／３／１−２００２／３／４」と、メールの貼り付け箇所「スケジュール」を登録する（図６参照）。
【００５９】
＜受信メールの選択・貼り付け処理＞
メールを受信した際にＰＩＭ等にメールを貼り付ける処理について、図１１のフローチャート及び図１２〜図１４を参照しながら説明する。
【００６０】
図１２は情報携帯端末のメインメニュー画面例であり、図１３はスケジュールの選択画面の表示例である。図１４は、メールが貼り付いた「スケジュール：２００２／３／１」の表示画面例である。
【００６１】
図１１の処理において、ステップＳ２０１〜Ｓ２０３の処理は、前記した［実施例１］のステップＳ１０１〜Ｓ１０３の処理と同じであるので、その詳細な説明は省略する。
【００６２】
ステップＳ２０１〜Ｓ２０３の処理が完了した後、受信したメールからメールの送信日時を読み取り（ステップＳ２０４）、カウンタ（図示せず）のカウント値Ｎをインクリメント（Ｎ＝Ｎ＋１）する（ステップＳ２０５）。さらに、カウント値Ｎと貼り付け対応リストに登録された項目数とを比較する（ステップＳ２０６）。その比較結果において、カウント値Ｎが項目数未満であれば、Ｎ番目のメールを貼り付けるためのメール選択条件を、図６の貼り付け対応リストから取り出す（ステップＳ２０７）。この例の場合、図６のＮｏ．１の項目に登録されているメール選択条件（送信日時の期間）が取り出される。
【００６３】
次に、受信したメールの送信日時とメール選択条件として取り出した送信日時の期間とを比較し（ステップＳ２０８）、受信メールの送信日時がメール選択条件の期間内に入っている場合、対応する貼り付け箇所（スケジュール）にメールを貼り付ける（ステップＳ２０９）。この例の場合、メール選択条件としての期間は、「２００２／３／１−２００２／３／４」となり、貼り付け箇所は、「スケジュール」となる。この後、再びカウンタをカウントアップする（ステップＳ２０５）。
【００６４】
そして、ユーザが、図１２に示す情報携帯端末のメインメニュー画面においてＮｏ．１の項目「スケジュール」を選択し、図１３に示すスケジュールの選択画面において「２００２／３／１」を選択することで、図１４のスケジュール上に２００２／３／１に受信したメールが表示される。この例の場合、図６の貼り付け対応リストのＮｏ．１によって、「Ｓａ＠ｓｈａｒｐ．ｃｏ．ｊｐ　本日の会議予定は以下の通りです。・・・」と「Ｈａ＠ｓｈａｒｐ．ｃｏ．ｊｐ　一週間以内に○○サンプルを送ってください。」のメールが選択され、そのメールが「２００２／３／１」のスケジュール上に表示される。
【００６５】
なお、ステップＳ２０８での判定において、受信メールの送信日時が貼り付け対応リストのメール選択条件である送信日時の期間に入っていない場合は、再びカウンタのカウントアップを行う（ステップＳ２０５）。また、貼り付け対応リストの項目数よりも、カウント値Ｎが大きくなった時点で処理を終了する（ステップＳ２０６）。
【００６６】
［実施形態３］
この実施形態では、ユーザ（受信者）が登録するメール選択条件がメールのサブジェクトである場合の処理例を示す。その具体的な処理を各項目ごとに説明する。
【００６７】
＜入力・登録処理＞
図３に示したフローチャートと同様な処理を行って、貼り付け対応リストのＮｏ．４の項目に、貼り付け条件「Ｓｕｂｊｅｃｔ：ゴルフ」と、メールの貼り付け箇所「メモ：ゴルフコンペ」を登録する（図６参照）。
【００６８】
＜受信メールの選択・貼り付け処理＞
メールを受信した際にＰＩＭ等にメールを貼り付ける処理について、図１５のフローチャート及び図１６〜図１８を参照しながら説明する。
【００６９】
図１６は情報携帯端末のメインメニュー画面例であり、図１７はメモの選択画面の表示例である。図１８はメールが貼り付いた「メモ：ゴルフコンペ」の表示画面例である。
【００７０】
図１５の処理において、ステップＳ３０１〜Ｓ３０３の処理は、前記した［実施例１］のステップＳ１０１〜Ｓ１０３の処理と同じであるので、その詳細な説明は省略する。
【００７１】
ステップＳ３０１〜Ｓ３０３の処理が完了した後、受信したメールからメールのサブジェクトを読み取り（ステップＳ３０４）、カウンタ（図示せず）のカウント値Ｎをインクリメント（Ｎ＝Ｎ＋１）する（ステップＳ３０５）。さらに、カウント値Ｎと貼り付け対応リストに登録された項目数とを比較する（ステップＳ３０６）。その比較結果において、カウント値Ｎが項目数未満であれば、Ｎ番目のメールを貼り付けるためのメール選択条件を、図６の貼り付け対応リストから取り出す（ステップ３０７）。この例の場合、図６のＮｏ．４の項目に登録されているメール選択条件（サブジェクト）が取り出される。
【００７２】
次に、受信したメールのサブジェクトとメール選択条件として取り出したサブジェクトとを比較し（ステップＳ３０８）、その両者のサブジェクトが一致している場合、対応する貼り付け箇所（メモ：ゴルフコンペ）にメールを貼り付ける（ステップＳ３０９）。この例の場合、メール選択条件としてのサブジェクトは、「ゴルフ」となり、貼り付け箇所は、「メモ：ゴルフコンペ」となる。この後、再びカウンタをカウントアップする（ステップＳ３０５）。
【００７３】
そして、ユーザが、図１６に示す情報携帯端末のメインメニュー画面においてＮｏ．４の項目「メモ」を選択し、図１７に示すメモの選択画面において「４：ゴルフコンペ」を選択することで、図１８のメモ上に受信・選択されたメールが表示される。この例の場合、図６の貼り付け対応リストのＮｏ．４によって、「Ｋａ＠ｓｈａｒｐ．ｃｏ．ｊｐ　サブジェクト：ゴルフ　○月○日　参加します。」と「Ｓａ＠ｓｈａｒｐ．ｃｏ．ｊｐ　サブジェクト：ゴルフ　すみませんが、不参加！」のメールが選択され、そのメールが「ゴルフコンペ　」のメモに表示される。
【００７４】
なお、ステップＳ３０８での判定において、受信メールのサブジェクトと貼り付け対応リストのメール選択条件であるサブジェクトとが一致しない場合は、再びカウンタのカウントアップを行う（ステップＳ３０５）。また、貼り付け対応リストの項目数よりも、カウント値Ｎが大きくなった時点で処理を終了する（ステップＳ３０６）。
【００７５】
［実施形態４］
この実施形態では、ユーザ（受信者）が登録するメール選択条件がメールの種類（返信メール）である場合の処理例を示す。その具体的な処理を各項目ごとに説明する。
【００７６】
＜入力・登録処理＞
図３に示したフローチャートと同様な処理を行って、貼り付け対応リストのＮｏ．５の項目に、貼り付け条件「ＲＥ：アンケート」と、メールの貼り付け箇所「メモ：アンケート結果」を登録する（図６参照）。
【００７７】
＜受信メールの選択・貼り付け処理＞
メールを受信した際にＰＩＭ等にメールを貼り付ける処理について、図１９のフローチャート及び図２０〜図２２を参照しながら説明する。
【００７８】
図２０は情報携帯端末のメインメニュー画面例であり、図２１はメモの選択画面の表示例である。図２２はメールが貼り付いた「メモ：○○アンケート結果」の表示画面例である。
【００７９】
図１９の処理において、ステップＳ４０１〜Ｓ４０３の処理は、前記した［実施例１］のステップＳ１０１〜Ｓ１０３の処理と同じであるので、その詳細な説明は省略する。
【００８０】
ステップＳ４０１〜Ｓ４０３の処理が完了した後、受信したメールからメールの種類（返信メール）を読み取り（ステップＳ４０４）、カウンタ（図示せず）のカウント値Ｎをインクリメント（Ｎ＝Ｎ＋１）する（ステップＳ４０５）。さらに、カウント値Ｎと貼り付け対応リストに登録された項目数とを比較する（ステップＳ４０６）。その比較結果において、カウント値Ｎが項目数未満であれば、Ｎ番目のメールを貼り付けるためのメール選択条件を、図６の貼り付け対応リストから取り出す（ステップ４０７）。この例の場合、図６のＮｏ．５の項目に登録されているメール選択条件（メールの種類）が取り出される。
【００８１】
次に、受信したメールの種類とメール選択条件として取り出したメールの種類とを比較し（ステップＳ４０８）、その両者の種類が一致している場合、対応する貼り付け箇所にメールを貼り付ける（ステップＳ４０９）。この例の場合、メール選択条件としてのメールの種類は、「ＲＥ：アンケート」つまり「アンケート」に対する返信メールとなり、貼り付け箇所は、「メモ：○○アンケート結果」となる。この後、再びカウンタをカウントアップする（ステップＳ４０５）。
【００８２】
そして、ユーザが、図２０に示す情報携帯端末のメインメニュー画面においてＮｏ．４の「メモ」を選択し、図２１に示すメモの選択画面において「５：○○アンケート結果」を選択することで、図２２のメモ上に受信・選択されたメールが表示される。この例の場合、図６の貼り付け対応リストのＮｏ．５によって、「Ｋａ＠ｓｈａｒｐ．ｃｏ．ｊｐ　＞○○を買いますか？　はい」と「Ｓａ＠ｓｈａｒｐ．ｃｏ．ｊｐ　＞○○を買いますか？　わからない」のメールが選択され、そのメールが「○○アンケート結果」のメモに表示される。
【００８３】
なお、ステップＳ４０８での判定において、受信メールの種類と貼り付け対応リストのメール選択条件であるメール種類とが一致しない場合は、再びカウンタのカウントアップを行う（ステップＳ４０５）。また、貼り付け対応リストの項目数よりも、カウント値Ｎが大きくなった時点で処理を終了する（ステップＳ４０６）。
【００８４】
［実施形態５］
この実施形態では、ユーザ（受信者）が登録するメール選択条件が文字列（キーワード）である場合の処理例を示す。その具体的な処理を各項目ごとに説明する。
【００８５】
＜入力・登録処理＞
図３に示したフローチャートと同様な処理を行って、貼り付け対応リストのＮｏ．５の項目に、貼り付け条件「ＫＥＹ：○○」と、メールの貼り付け箇所「メモ：○○商品関連」を登録する（図６参照）。
【００８６】
＜受信メールの選択・貼り付け処理＞
メールを受信した際にＰＩＭ等にメールを貼り付ける処理について、図２３のフローチャート及び図２４〜図２６を参照しながら説明する。
【００８７】
図２４は情報携帯端末のメインメニュー画面例であり、図２５はメモの選択画面の表示例である。図２６はメールが貼り付いた「メモ：○○商品関連」の表示画面例である。
【００８８】
図２３の処理において、ステップＳ５０１〜Ｓ５０３の処理は、前記した［実施例１］のステップＳ１０１〜Ｓ１０３の処理と同じであるので、その詳細な説明は省略する。
【００８９】
ステップＳ５０１〜Ｓ５０３の処理が完了した後、受信したメールから本文を読み取り（ステップＳ５０４）、カウンタ（図示せず）のカウント値Ｎをインクリメント（Ｎ＝Ｎ＋１）する（ステップＳ５０５）。さらに、カウント値Ｎと貼り付け対応リストに登録された項目数とを比較する（ステップＳ５０６）。その比較結果において、カウント値Ｎが項目数未満であれば、Ｎ番目のメールを貼り付けるためのメール選択条件を、図６の貼り付け対応リストから取り出す（ステップ５０７）。この例の場合、図６のＮｏ．６の項目に登録されているメール選択条件（文字列（キーワード））が取り出される。
【００９０】
次に、受信したメールの本文とメール選択条件として取り出した文字列（キーワード）とを比較し（ステップＳ５０８）、受信メールの本文に文字列がある場合、対応する貼り付け箇所へメールを貼り付ける（ステップＳ５０９）。この例の場合、メール選択条件としての文字列（キーワード）は「○○」であり、受信メールの本文内に「○○」の文字列が含まれたメールが対象となり、また、貼り付け箇所は、「メモ：○○商品関連」となる。この後、再びカウントアップを行う（ステップＳ５０５）。
【００９１】
そして、ユーザが、図２４に示す情報携帯端末のメインメニュー画面においてＮｏ．４の「メモ」を選択し、図２５に示すメモの選択画面において「２：○○商品関連」を選択することで、図２６のメモ上に受信・選択されたメールが表示される。この例の場合、図６の貼り付け対応リストのＮｏ．６によって、「Ｋａ＠ｓｈａｒｐ．ｃｏ．ｊｐ　今月の○○の在庫状況をお知らせします。」と「Ｓａ＠ｓｈａｒｐ．ｃｏ．ｊｐ　○○について、以下の件を要望します。」のメールが選択され、「○○商品関連」のメモに表示される。
【００９２】
なお、ステップＳ５０８での判定において、受信メールの種類と貼り付け対応リストのメール選択条件であるメール種類とが一致しない場合は、再びカウンタのカウントアップを行う（ステップＳ５０５）。また、貼り付け対応リストの項目数よりも、カウント値Ｎが大きくなった時点で処理を終了する（ステップＳ４０６）。
【００９３】
［実施形態６］
この実施形態では、前記した［実施形態１］において受信したメールに特定の添付ファイルが添付されている場合の処理例を示す。
【００９４】
図２７はその処理内容を示すフローチャートである。図２８はメモの選択画面の表示例である。図２９はメールが貼り付いた「メモ：未読メール一覧」の表示画面例である。
【００９５】
図２７の処理において、ステップＳ６０１〜Ｓ６０６の処理は、前記した［実施例１］のステップＳ１０１〜Ｓ１０６の処理と同じであるので、その詳細な説明は省略する。
【００９６】
ステップＳ６０６での比較結果が、カウント値Ｎが項目数未満である場合、ステップＳ６０７において、受信メールに特定の添付ファイル（例えば添付の販売実績ファイル）が添付されている否かを判定し、特定の添付ファイルが添付されている場合、受信メールから添付ファイルを取り出して（ステップＳ６０８）、その取り出した添付ファイルのみを貼り付け箇所に貼り付ける（ステップＳ６０９）。受信メールに特定の添付ファイルがない場合は処理を終了する。
【００９７】
そして、ユーザが、図２８に示すメモの選択画面において「３：未読メール一覧」を選択することで、図２９のメモ上に受信・選択されたメールの添付ファイルのみが表示される。この例の場合、図６の貼り付け対応リストによって選択されたメールの「Ｋａ＠ｓｈａｒｐ．ｃｏ．ｊｐ　Ａ店．ＸＬＳ」と「Ｓａ＠ｓｈａｒｐ．ｃｏ．ｊｐ　Ｃ店．ＸＬＳ」と添付ファイルのみがメモに表示される。
【００９８】
以上の受信メールの処理を行う制御プログラムは、コンピュータで読み取り可能な記録媒体に格納されていてもよい。
【００９９】
本発明では、この記録媒体として、図１に示されているＣＰＵ（制御部）３で処理が行なわれるために必要なメモリ、例えばＲＯＭ７やＨＤ８のようなものそのものがプログラムメディアであってもよいし、また、外部記憶装置である読取装置１０に挿入することで読み取り可能な記憶媒体、例えばＣＤ−ＲＯＭやＤＶＤ−ＲＯＭ等のプログラムメディアであってもよい。いずれの場合においても、格納されているプログラムはマイクロコンピュータがアクセスして実行させる構成であってもよいし、あるいはいずれの場合もプログラムを読み出し、読み出されたプログラムは、マイクロコンピュータの図示しないプログラム記憶エリアにロードされて、そのプログラムが実行される方式であってもよい。このロード用のプログラムは予め本体装置に格納されているものとする。
【０１００】
ここで、上記プログラムメディアは、本体と分離可能に構成される記録媒体であり、磁気テープやカセットテープ等のテープ系、ＦＤ（フレキシブルディスク）／ＨＤ（ハードディスク）等の磁気ディスク、ＣＤ−ＲＯＭ／ＭＯ／ＭＤ／ＤＶＤ等の光ディスク系、ＩＣカード（メモリカードを含む）／光カード等のカード系、あるいは、マスクＲＯＭ、ＥＰＲＯＭ、ＥＥＰＲＯＭ、フラッシュＲＯＭ等による半導体メモリを含めた固定的にプログラムを担持する媒体であってもよい。
【０１０１】
また、本発明において、インターネットを含む通信ネットワークと接続可能なシステム構成である場合、通信ネットワークからプログラムをダウンロードするように流動的にプログラムを担持する媒体であってもよい。なお、このように通信ネットワークからプログラムをダウンロードする場合には、そのダウンロード用プログラムは予め装置本体に格納しておくか、あるいは別の記録媒体からインストールされるものであってもよい。なお、記録媒体に格納されている内容としてはプログラムに限定されず、データであってもよい。
【０１０２】
さらに、本発明では、プログラム自体として、図１に示されているＣＰＵ（制御部）３で実行される処理そのものであってもよいし、あるいはインターネットを含む通信ネットワークとアクセスすることで取り込める、あるいは取り込んだものであってもよいし、こちらから送り出すものであってもよい。さらには、この取り込んだプログラムに基づいて、上記システム内で処理された結果、つまり生成されたものであってもよい。あるいは、こちらから送り出す際に上記システム内で処理された結果、つまり生成されたものであってもよい。なお、これらのものはプログラムに限定されず、データであってもよい。
【０１０３】
【発明の効果】
以上説明したように、本発明によれば、受信メールをＰＩＭデータ等に貼り付けるための条件とメールを貼り付ける先を、貼り付け対応リストとして登録しておくことで、メールを受信した際に、手間や時間をかけることなく、受信メールを受信者の意向に沿った形で確実に分類し、ＰＩＭ等に貼り付けることができるので、利用者の手を煩わせることなくメールの管理を行うことができる。また、メールボックス上の膨大なメールを意識する必要がなく、ＰＩＭ等から目的・用途に合ったメール取り出せるので、利用者の利便性が向上する。
【０１０４】
本発明において、受信したメールから該当するメールを選択する条件として、メールアドレスを指定しておき、受信したメールの送信者のメールアドレスがその指定したメールアドレスと一致しているかを判定し、一致している場合に、そのメールを、あらかじめ指定された貼り付け箇所に自動的に貼り付けるように構成すれば、メールを受信した際に、いちいち受信メールボックスからメールを検索し、１つ１つをＰＩＭデータ等に貼り付けるといった操作を行うことなく、ＰＩＭデータからメールアドレスによって分類されたメールを見ることができる。
【０１０５】
従って、利用者の手を煩わせることなく、受信メールを確実に分類することが可能になるとともに、メールボックス内の膨大なメールを意識する必要がなくなるので、ＰＩＭからの利用者の利便性が向上する。また、以上の構成を採用することで、例えば、プロジェクトのメンバーからのメールについては、プロジェクト関連のメモに貼り付けて一元管理するといったメール管理を行うこともできる。
【０１０６】
本発明において、受信したメールから該当するメールを選択する条件として、送信日時の期間を指定しておき、受信したメールの送信日時がその指定した期間に入っているか否かを判定し、受信メールの送信日時が指定の期間内に入っている場合に、そのメールを、あらかじめ指定された貼り付け箇所に自動的に貼り付けるように構成すれば、メールを受信した際に、いちいち受信メールボックスからメールを検索し、１つ１つをＰＩＭデータ等に貼り付けるといった操作を行うことなく、メールの期間によって分類されたメールをＰＩＭデータに貼り付けることができるので、そのＰＩＭデータからメールを閲覧することができる。
【０１０７】
従って、利用者の手を煩わせることなく、受信メールを確実に分類することが可能になるとともに、メールボックス内の膨大なメールを意識する必要がなくなるので、ＰＩＭからの利用者の利便性が向上する。また、以上の構成を採用することで、例えば、今日、受け付けたメールによる依頼は、スケジュールに貼り付け、そのスケジュールを閲覧して、メールを受け付けた順に処理するといったメール管理を行うこともできる。
【０１０８】
本発明において、受信したメールから該当するメールを選択する条件として、メールのサブジェクトを指定しておき、受信したメールのサブジェクトがその指定したサブジェクトと一致しているかを判定し、一致している場合に、そのメールを、あらかじめ指定された貼り付け箇所に自動的に貼り付けるように構成すれば、メールを受信した際に、いちいち受信メールボックスからメールを検索し、１つ１つをＰＩＭデータ等に貼り付けるといった操作を行うことなく、メールのサブジェクトによって分類されたメールをＰＩＭデータに貼り付けることができるので、そのＰＩＭデータからメールを閲覧することができる。
【０１０９】
従って、利用者の手を煩わせることなく、受信メールを確実に分類することが可能になるとともに、メールボックス内の膨大なメールを意識する必要がなくなるので、ＰＩＭからの利用者の利便性が向上する。また、以上の構成を採用することで、例えば、「○○商品の改善案」のサブジェクトのメールのみをＴｏＤｏリストに貼り付け、ＴｏＤｏリストから呼び出して管理するといったメール管理を行うことも可能になる。
【０１１０】
本発明において、受信したメールから該当するメールを選択する条件として、受信者側から送信したメール種類（例えば返信メール）を指定しておき、受信したメールがその指定したメール種類であるか否かを判定し、受信したメールが特定のメール種類である場合に、そのメールを、あらかじめ指定された貼り付け箇所に自動的に貼り付けるように構成すれば、メールを受信した際に、いちいち受信メールボックスからメールを検索し、１つ１つをＰＩＭデータ等に貼り付けるといった操作を行うことなく、返信メール等のメール種類によって分類されたメールをＰＩＭデータに貼り付けることができるので、そのＰＩＭデータからメールを閲覧することができる。
【０１１１】
従って、利用者の手を煩わせることなく、受信メールを確実に分類することが可能になるとともに、メールボックス内の膨大なメールを意識する必要がなくなるので、ＰＩＭからの利用者の利便性が向上する。また、以上の構成を採用することで、例えば、多数の相手にアンケートのメールを送信し、そのアンケート結果の返信メールのみをメモに貼り付け、一元管理するといったメール管理を行うこともできる。
【０１１２】
本発明において、受信したメールから該当するメールを選択する条件として、特定の文字列（例えばキーワード）を指定しておき、受信したメールの本文内にその指定した文字列が含まれているか否かを判定し、受信したメールに指定の文字列が含まれている場合に、そのメールを、あらかじめ指定された貼り付け箇所に自動的に貼り付けるように構成すれば、メールを受信した際に、いちいち受信メールボックスからメールを検索し、１つ１つをＰＩＭデータ等に貼り付けるといった操作を行うことなく、特定の文字列によって分類されたメールをＰＩＭデータに貼り付けることができるので、そのＰＩＭデータからメールを閲覧することができる。
【０１１３】
従って、利用者の手を煩わせることなく、受信メールを確実に分類することが可能になるとともに、メールボックス内の膨大なメールを意識する必要がなくなるので、ＰＩＭからの利用者の利便性が向上する。また、以上の構成を採用することで、例えば、ゴルフに関連するメールは、メモのゴルフ関連に貼り付け、ゴルフ関連のライブラリファイルとするといったメール管理を行うこともできる。
【０１１４】
本発明において、受信したメールに特定の添付ファイルが添付されているか否かを判定し、特定の添付ファイルが添付されている場合、その添付ファイルのみを、あらかじめ指定された貼り付け箇所に自動的に貼り付けるように構成すれば、メールを受信した際に、いちいち受信メールボックスからメールを検索し、１つ１つをＰＩＭデータ等に貼り付けるといった操作を行うことなく、特定の添付ファイルによって分類されたメールをＰＩＭデータに貼り付けることができるので、そのＰＩＭデータからメールを閲覧することができる。
【０１１５】
従って、利用者の手を煩わせることなく、受信メールを確実に分類することが可能になるとともに、メールボックス内の膨大なメールを意識する必要がなくなるので、ＰＩＭからの利用者の利便性が向上する。また、以上の構成を採用することで、例えば、各店舗から送られてくるメールに添付された販売実績ファイルのみをメモに貼り付け、一元管理するといったメール管理を行うこともできる。
【図面の簡単な説明】
【図１】一般的な情報携帯端末のハードウェア構成を示すブロック図である。
【図２】情報携帯端末の内部構成を示すブロック図である。
【図３】本発明の実施形態において実行する入力・登録処理の内容を示すフローチャートである。
【図４】情報携帯端末のメインメニュー画面の表示例を示す図である。
【図５】メール選択条件とメールの貼り付け箇所を入力する際の入力画面の表示例を示す図である。
【図６】貼り付け条件と貼り付け箇所が登録された貼り付け対応リストの例を示す図である。
【図７】本発明の実施形態において実行する受信メールの選択・貼り付け処理の一例を示すフローチャートである。
【図８】情報携帯端末のメインメニュー画面の表示例を示す図である。
【図９】ＴｏＤｏリストの選択画面の表示例を示す図である。
【図１０】ＴｏＤｏリストに貼り付けられたメールの表示例を示す図である。
【図１１】本発明の実施形態において実行する受信メールの選択・貼り付け処理の他の例を示すフローチャートである。
【図１２】情報携帯端末のメインメニュー画面の表示例を示す図である。
【図１３】スケジュールの選択画面の表示例を示す図である。
【図１４】スケジュールに貼り付けられたメールの表示例を示す図である。
【図１５】本発明の実施形態において実行する受信メールの選択・貼り付け処理の別の例を示すフローチャートである。
【図１６】情報携帯端末のメインメニュー画面の表示例を示す図である。
【図１７】メモの選択画面の表示例を示す図である。
【図１８】メモに貼り付けられたメールの表示例を示す図である。
【図１９】本発明の実施形態において実行する受信メールの選択・貼り付け処理の更に別の例を示すフローチャートである。
【図２０】情報携帯端末のメインメニュー画面の表示例を示す図である。
【図２１】メモの選択画面の表示例を示す図である。
【図２２】メモに貼り付けられたメールの表示例を示す図である。
【図２３】本発明の実施形態において実行する受信メールの選択・貼り付け処理の更に別の例を示すフローチャートである。
【図２４】情報携帯端末のメインメニュー画面の表示例を示す図である。
【図２５】メモの選択画面の表示例を示す図である。
【図２６】メモに貼り付けられたメールの表示例を示す図である。
【図２７】本発明の実施形態において実行する受信メールの選択・貼り付け処理の更に別の例を示すフローチャートである。
【図２８】メモの選択画面の表示例を示す図である。
【図２９】メモに貼り付けられた添付ファイルの表示例を示す図である。
【符号の説明】
１　メールサーバ／ＰＣ
２　通信部
３　ＣＰＵ（制御部）
４　表示部（ＬＣＤ）
５　入力部（タッチパネル、キーボード）
６　ＲＡＭ
７　ＲＯＭ
８　ＲＡＭ／ＨＤ
９　時計
１０　読取装置
１１　ＣＤ−ＲＯＭ
２１　メール受信部
２２　メール変換部（通信データ→テキストデータ）
２３　メール記憶部
２４　メール本文表示部
２５　貼り付け条件判定部
２６　貼り付け対応リスト設定部
２７　貼り付け箇所選択部
２８　メールデータ貼り付け部
２９　メール付きＰＩＭデータ等表示部
【図１】
2004062640.tif 000003
【図２】
2004062640.tif 000004
【図３】
2004062640.tif 000005
【図４】
2004062640.tif 000006
【図５】
2004062640.tif 000007
【図６】
2004062640.tif 000008
【図７】
2004062640.tif 000009
【図８】
2004062640.tif 000010
【図９】
2004062640.tif 000011
【図１０】
2004062640.tif 000012
【図１１】
2004062640.tif 000013
【図１２】
2004062640.tif 000014
【図１３】
2004062640.tif 000015
【図１４】
2004062640.tif 000016
【図１５】
2004062640.tif 000017
【図１６】
2004062640.tif 000018
【図１７】
2004062640.tif 000019
【図１８】
2004062640.tif 000020
【図１９】
2004062640.tif 000021
【図２０】
2004062640.tif 000022
【図２１】
2004062640.tif 000023
【図２２】
2004062640.tif 000024
【図２３】
2004062640.tif 000025
【図２４】
2004062640.tif 000026
【図２５】
2004062640.tif 000027
【図２６】
2004062640.tif 000028
【図２７】
2004062640.tif 000029
【図２８】
2004062640.tif 000030
【図２９】
2004062640.tif 000031